(57)【要約】【課題】複数の光ディスクを内包するディスクマガジンでは、光ディスク間に仕切り板を設けたり、トレイを使用して搭載した場合、ディスクマガジンが厚くなり大型化を招いていた。【解決手段】光ディスクをディスクマガジンに隙間を設けず積層して搭載する。また、ディスクマガジン内で光ディスク同士が擦れて傷つくことを防止するディスク固定部材をディスクマガジンに搭載する。ディスクマガジンを使用する光ディスク装置は、複数の光ディスクを一度に保持するディスク保持部を有し、ディスクマガジンの上部からＮ枚目の光ディスクをディスクドライブに搬送する際には、ディスク保持部によりＮ枚の光ディスクを保持し、ディスクドライブ部でＮ枚目の光ディスクのみディスク保持部の保持を解除し、目的の光ディスクを搬送する。【選択図】図１
2014010857.tif 000002
【特許請求の範囲】
【請求項１】
光ディスクを積層して内包したディスクマガジンを使用する光ディスク装置において、
前記光ディスクを前記ディスクマガジンとディスクドライブ間で搬送する搬送手段を有しており、
前記搬送手段は、ディスク保持部と、第１のディスク保持爪と第２のディスク保持爪を有しており、
前記ディスク保持部は、複数の光ディスクを一度に保持し、
前記保持部により保持した複数の光ディスクの枚数を検出する検出部を有したことを特徴とする光ディスク装置。
【請求項２】
請求項１記載の光ディスク装置において
前記ディスクマガジンに内包された光ディスクのうち、上方よりＮ枚目の光ディスクをディスクドライブに搬送する際には、前記搬送手段によりＮ枚の光ディスクを保持して移動し、前記ディスクドライブ部で、Ｎ枚目の光ディスクのみ保持を解除して搬送を行うことを特徴とする光ディスク装置。
【請求項３】
請求項１記載の光ディスク装置において
前記ディスクマガジンに内包された光ディスクのうち、上方よりＮ枚目の光ディスクをディスクドライブに搬送する際には、前記ディスク枚数検出部により位置を検出しながら前記第１のディスク保持爪をディスクＮ枚目の位置に移動したのち、前記第１のディスク保持爪を外部に移動してＮ枚の光ディスクを前記ディスク保持部で保持し、
前記第２のディスク保持爪を外部に移動して、（Ｎ−１）枚の光ディスクをディスク保持部で保持し、
前記ディスクドライブ近傍に前記搬送手段で前記Ｎ枚の光ディスクを移動したあと、前記第１のディスク保持爪を内部に移動してＮ枚目の光ディスクのみ保持を解除し前記ディスクドライブへ搬送を行うことを特徴とする光ディスク装置。
【請求項４】
請求項１記載の光ディスク装置において
前記第１のディスク保持爪と前記第２のディスク保持爪とは光ディスク１枚分の厚み間隔を設けて配置されたことを特徴とする光ディスク装置。
【請求項５】
複数の光ディスクを内包してなるディスクマガジンにおいて、
前記ディスクマガジンは前記ディスクマガジンのほぼ外形をなす第１のケースと、前記光ディスクを積層して搭載する第２のケースを有しており、
前記光ディスクは中心に穴部を有しており、前記第２のケースは前記光ディスクを積層して搭載した時の前記中心穴部近傍に開口部を設けたことを特徴とするディスクマガジン。
【請求項６】
請求項５記載のディスクマガジンにおいて、
前記ディスクマガジン内での前記光ディスクの動きを抑制する固定部材を有したことを特徴とするディスクマガジン。
【請求項７】
請求項６記載のディスクマガジンにおいて、
前記固定部材は、前記光ディスクの外周あるいは外周エッジを押圧する部材によりなることを特徴とするディスクマガジン。
【請求項８】
請求項６記載のディスクマガジンにおいて、
前記固定部材は、前記光ディスクの中心穴近傍を押圧する板バネ部材によりなることを特徴とするディスクマガジン。
【発明の詳細な説明】
【技術分野】
【０００１】
本発明は、複数枚の光ディスクを内包するディスクマガジンおよびそれを用いた光ディスク装置に関する。
【背景技術】
【０００２】
光ディスクを使用した光ディスク装置においては、複数の光ディスクをディスクマガジンに内包して使用するシステムがこれまでに提案されている。
例えば、特許文献１ではディスクマガジンを使用した大容量、高速レスポンスのライブラリ装置の記載があり、また特許文献２では強磁性体のリングを設けたシート状の光ディスクをディスクマガジンに積層した構成が記載されている。
【先行技術文献】
【特許文献】
【０００３】
【特許文献１】特開２００５−３１９３０号公報
【特許文献２】特開２００８−１８６５５２号公報
【発明の概要】
【発明が解決しようとする課題】
【０００４】
光ディスクをディスクマガジンに内包して使用する場合、光ディスク間に仕切り板を設けて光ディスク間を分離したり、光ディスク毎にトレイを用いて取り扱う方法が提案されている。例えば特許文献１において、トレイに光ディスクを１枚ずつ載せて取り扱う方式の記載がある。こうした方式の場合、ディスクマガジンの厚みは光ディスクの厚みに加えて仕切り板やトレイの厚みが必要になり、ディスクマガジンの厚みを増加させていた。
【０００５】
また、特許文献２においては、強磁性体のリングを設けた光ディスクを積層して内包する方式が記載されている。この場合、ディスクマガジンの厚みは光ディスクの厚みに加えて強磁性体リングの厚みが必要になるためディスクマガジンが厚くなっていた。また積層された光ディスクの中から任意の光ディスクを取り出すためには、その光ディスクの上方に積層された光ディスクから順番に取り出していく必要があり、任意の光ディスクを高速に取り出すことが難しかった。
本発明は複数の光ディスクを内包したディスクマガジンの薄型化とそのディスクマガジンを利用した光ディスク装置を実現することを目的としている。
【課題を解決するための手段】
【０００６】
上記課題は特許請求の範囲に記載の発明により解決される。
例えば、光ディスクをディスクマガジンに隙間を設けず積層して搭載する。また、ディスクマガジン内で光ディスク同士が擦れて傷つくことを防止するディスク固定部材をディスクマガジンに搭載する。ディスクマガジンを使用する光ディスク装置は、複数の光ディスクを一度に保持するディスク保持部を有し、ディスクマガジンの上部からＮ枚目の光ディスクをディスクドライブに搬送する際には、ディスク保持部によりＮ枚の光ディスクを保持し、ディスクドライブ部でＮ枚目の光ディスクのみディスク保持部の保持を解除し、目的の光ディスクを搬送する。
【発明の効果】
【０００７】
本発明によれば、複数の光ディスクを内包したディスクマガジンの薄型化とそのディスクマガジンを利用した光ディスク装置を実現できる。
【図面の簡単な説明】
【０００８】
【図１】本実施例における複数枚の光ディスクを内包するディスクマガジンの外観図である。
【図２】本実施例におけるディスクマガジンを構成するケースと光ディスクの断面図である。
【図３】本実施例における複数枚の光ディスクを内包するディスクマガジンの外観図である。
【図４】本実施例におけるディスク固定部材による光ディスクの固定方法について説明した図である。
【図５】本実施例におけるディスク固定バネによる光ディスクの固定方法について説明した図である。
【図６】本実施例におけるディスク固定バネの形状について説明した図である。
【図７】本実施例におけるディスクマガジンからディスクドライブへのディスク搬送について説明した図である。
【図８】本実施例におけるディスクマガジンからディスクドライブへのディスク搬送について説明した図である。
【図９】本実施例におけるディスクマガジンからディスクドライブへのディスク搬送について説明した図である。
【図１０】本実施例におけるディスク搬送機構のディスク保持部の構造について説明した図である。
【図１１】本実施例におけるディスク保持部が光ディスクを保持した状態を説明した図である。
【図１２（ａ）】本実施例におけるディスク保持爪による光ディスク保持状態を説明した図である。
【図１２（ｂ）】本実施例におけるディスク保持爪による光ディスク保持状態を説明した図である。
【図１２（ｃ）】本実施例におけるディスク保持爪による光ディスク保持状態を説明した図である。
【図１２（ｄ）】本実施例におけるディスク保持爪による光ディスク保持状態を説明した図である。
【発明を実施するための形態】
【０００９】
以下、本発明の実施の形態を図面に基づいて説明する。
図１は、本発明の一実施例を示すディスクマガジンの概観図である。ディスクマガジン２２はディスクマガジンの外形をほぼ成すケース１と複数の光ディスク３を積層して搭載するケース２を有している。図２はケース２に光ディスク３を搭載した状態の断面図である。ここでは、１例として５枚の光ディスクを搭載している。また図３はケース１にケース２を収納した状態のディスクマガジン２２の概観図である。ディスクマガジン２２には光ディスク装置がディスクマガジン２２をローディング／イジェクトする時の戻り止めとして使用することが可能なディテント５ａ、５ｂ、６ａ、６ｂが形成されている。またディスクマガジン２２が光ディスク装置の外部にあるときに使用者がラベルを貼り付けることが出来るラベルエリア２１が用意されている。ディスクマガジン２２は光ディスク装置の外部にあるときは、図３に示すようにケース２をケース１内に収納し、光ディスク３が外部に露出しない構造になっている。これにより、光ディスク３への異物の付着防止、あるいは不意な傷つきの防止を行っている。ケース１にはスリット７ａ、７ｂが用意されており、光ディスク装置はスリット７ａ、７ｂを通して、ケース２を保持することが可能である。光ディスク装置にディスクマガジン２２を挿入すると、光ディスク装置はスリット７ａ、７ｂを通してケース２を保持した後、ケース１からケース２を引き出して光ディスク３を光ディスク装置内の所定位置に配置する動作を行う。
【００１０】
光ディスク３ａ、３ｂ、３ｃ、３ｄ、３ｅは、図２に示すようにケース２に積層して搭載されている。このとき光ディスクはトレイや、光ディスク間の仕切り板を用いることなく直接積層されている。この方法によりトレイや仕切り板を設けた場合と比較して、搭載された光ディスク間隔は最小となり、ディスクマガジン２２の厚みを小さくすることが可能になる。
【００１１】
また、図２に示すように光ディスク３ａ、３ｂ、３ｃ、３ｄ、３ｅにはそれぞれ中心穴９ａ、９ｂ、９ｃ、９ｄ、９ｅがあり、ケース２には中心穴近傍に開口部８が設けてある。
また、図１に示すようにケース２にはディスク固定部材４ａ、４ｂ、４ｃ、４ｄが搭載されている。本発明においては、トレイや仕切り板などを用いて光ディスクを分離することを行っていないため、光ディスク同士が擦れると傷つきが発生する可能性がある。このため、ディスクマガジン２２内で光ディスク３を固定して動きを抑制する部材を配置することで擦れによる傷つきを防止している。
【００１２】
図４により、ディスク固定部材４について説明する。図４はディスク固定部材４を側面からみた図である。ディスク固定部材４は支点１０を中心に回転可能な構造であり、図示していないバネにより光ディスク３ｅ方向に付勢されている。そして光ディスク３ｅの外周あるいは、外周エッジ部を押圧し固定している。光ディスク３ｅを押圧することで、光ディスク３ｅとケース２に挟まれた光ディスク３ａ、３ｂ、３ｃ、３ｄも固定される。光ディスクがケース２から取り外された時、ディスク固定部材４はストッパ２４により光ディスク方向への回転は制限されている。ディスク固定部材４による摩擦力あるいは付勢力以上の力で光ディスク３を上方に引き上げるとケース２から取り出すことができる。また、ディスク固定部材４の先端は円弧上になっているため、上方より光ディスク３を付勢力以上の力で押し付けることでディスク固定部材４は外側に開き光ディスク３をケース２に装着することが出来る。
【００１３】
図５、図６によりディスクマガジン内の光ディスクの動きを抑制する他の実施例について説明する。図５はディスクマガジン２２のうちケース１を透過して示した図である。ディスクマガジン２２には光ディスク３の中心穴近傍を押圧するディスク固定バネ１１が配置されている。ディスク固定バネ１１はケース２がケース１内にある時、ディスク押圧部２５で光ディスク３を押圧し固定する構造になっている。図６はケース１の断面図である。ディスク固定バネ１１はケース１に取り付けられている。またディスク固定バネ１１はケース２を装着していない状態においては、ディスク押圧部２５がケース１付近に位置する。一方、ディスク固定バネ１１の後方には曲げ部２６が設けられ下部方向に曲げられた形状になっている。この状態でケース２をケース１に装着すると、ケース２は最初に曲げ部２６に接触する。ここからさらにケース２を押し込むと曲げ部２６が上方に押し上げられるとともに、ディスク押圧部２５は下方に移動し、光ディスク３を押圧し固定することが出来る。
【００１４】
こうした光ディスク固定部材によりディスクマガジン内の光ディスクを固定することで光ディスク同士間や光ディスクとケース間の擦れを防止しディスク傷つきを防止することが出来る。なお、光ディスクの固定方法については上記以外の方法でもよく、ディスクマガジン内での光ディスクの動きを抑制する方法であればよい。
【００１５】
次に本発明のディスクマガジンを使用した光ディスク装置の実施例について説明する。図７は本発明のディスクマガジンを使用した光ディスク装置の内部を説明した図である。光ディスク装置１４には、ディスクドライブ１２、ディスク保持部１７や搬送アーム１６からなるディスク搬送機構、ディスク搬送機構を上下するシャフト１５、ディスク飛び出し抑制部材１３などが搭載されている。この光ディスク装置１４にディスクマガジンを挿入すると、図示していないローディング機構はディスクマガジンを所定位置に装着したあと、ケース２をケース１から引き出しディスク飛び出し抑制部材１３の下部に配置する。ディスク飛び出し抑制部材１３は、光ディスク３がケース２から飛び出したりすることを抑制するために配置されている。ディスクドライブ１２はディスクトレイ２３を開き、ディスクトレイ２３上に光ディスクを載せて閉じることにより、光ディスクのローディング動作を行う。光ディスク３が配置された位置はディスクトレイ２３が開いた時の下部にあたり、ディスク搬送機構は光ディスクを上下方向に移動させることで、ディスクマガジンとディスクドライブ間の光ディスク搬送を行う。
【００１６】
次にディスクマガジンから任意の光ディスクをディスクドライブに搬送する搬送手順について図８、図９により説明する。ここでは、光ディスク３のうち上方からＮ枚目の光ディスク３ｂを移動する手順について説明する。まず搬送アーム１６を光ディスク３方向に移動する。ディスク保持部１７によりＮ枚の光ディスク３を保持し、搬送アーム１６を上方に移動する。このとき光ディスク３ｂはＮ枚の光ディスクの最下端に位置することになる。そして図９に示すようにディスクドライブ１２のディスクトレイ２３を開き、Ｎ枚の光ディスク３のうち最下端１枚のみ保持を解除することでディスクトレイ２３上に光ディスク３ｂを置き、ディスクトレイ２３を閉じて搬送を終了する。ディスクドライブ１２からディスクマガジンへの光ディスクの搬送はこの逆の手順により行う。
【００１７】
トレイや仕切り板を使用せず、光ディスクを積層したディスクマガジンにおいても、上記の方法により任意の光ディスクをディスクドライブへ高速に搬送することが実現できる。
【００１８】
次に、Ｎ枚の光ディスクを保持、搬送する搬送機構について図１０により説明する。図１０はディスクの搬送機構を構成する搬送アーム１６、ディスク保持部１７の側面図である。搬送アーム１６先端にディスク保持部１７が取り付けられている。ディスク保持部１７には第１ディスク保持爪１９ａ、１９ｂと第２ディスク保持爪２０ａ、２０ｂ、ディスク枚数検出部１８を有している。ここで第１ディスク保持爪１９ａ、１９ｂおよび、第２ディスク保持爪２０ａ、２０ｂは、ディスク保持部１７より突出および収納可能な構造である。また第１ディスク保持爪１９ａ、１９ｂと第２ディスク保持爪２０ａ、２０ｂの間隔Ｘはほぼ光ディスク１枚分の厚みと等しくなるように配置してある。また、ディスク枚数検出部１８は第１ディスク保持爪１９ａ、１９ｂとの距離Ｙを検出することで、光ディスクの枚数を検出する機能を有している。ここで距離Ｙの検出は、光センサ、磁気センサ等どのようなセンサを用いて実現してもよい。
【００１９】
図１１によりＮ枚の光ディスクを保持する手順について説明する。図１１は搬送アーム１６、ディスク保持部１７および光ディスク３、ケース２の断面を示した図である。まず第１ディスク保持爪１９ａ、１９ｂおよび、第２ディスク保持爪２０ａ、２０ｂをディスク保持部１７内に収納する。次に搬送アーム１６を光ディスク３方向に移動する。そして光ディスク３の中心穴９にディスク保持部１７を挿入し、ディスク枚数検出部１８が検出する距離Ｙを見て搬送アーム１６を停止する。この状態で第１ディスク保持爪１９ａ、１９ｂを外部に突出させ、光ディスク３ｂ、３ｃ、３ｄ、３ｅを保持し、搬送アーム１６を上方に移動する。なお最下端の光ディスクでも保持できるようにケース２には中心穴近傍に開口部８が設けてあり、ディスク保持部１７、第１ディスク保持爪１９ａ、１９ｂと干渉しない構造になっている。
【００２０】
図１２によりＮ枚の光ディスクを保持する手順およびＮ枚目の光ディスクのみ保持解除する手順についてさらに説明する。図１２はディスク保持部１７および光ディスク３の断面図およびディスク枚数検出部１８、第１ディスク保持爪１９、第２ディスク保持爪２０の側面図である。図１２（ａ）はケース２に積層された光ディスク３の中心穴９にディスク保持部１７を挿入した状態である。ディスク枚数検出部１８により挿入量を検出し、第１ディスク保持爪１９の先端が光ディスク３ａと光ディスク３ｂの境界に位置づけるように制御している。例えば４枚の光ディスクを保持したい場合、１枚あたりの光ディスクの厚みが１．２ｍｍとすると、Ｙ＝４．８ｍｍとなる位置へ搬送アーム１６を制御し位置づければよい。この状態から第１ディスク保持爪１９を突出すると、先端が鋭角になっており光ディスク３ａと光ディスク３ｂの間に第１ディスク保持爪１９が入る。この状態でディスク保持部１７を上方に移動することで、図１２（ｂ）に示すように光ディスク３ｂより上方にある光ディスクを保持することが出来る。保持した複数の光ディスクのうち、最下端の光ディスクのみ保持解除する方法について図１２（ｃ）、図１２（ｄ）で説明する。第１ディスク保持爪１９と第２ディスク保持爪２０の間隔は光ディスク１枚分の厚みに設定されている。このため、第１ディスク保持爪１９で光ディスク３ｂを保持すると、第２ディスク保持爪２０の先端は光ディスク３ｂと光ディスク３ｃの境界に位置づけられる。ここで第２ディスク保持爪２０を外部に突出すると、図１２（ｃ）に示すように光ディスク３ｃより上方の光ディスクは第２ディスク保持爪２０によって保持される。ここで、第１ディスク保持爪１９を収納すると、光ディスク３ｂの保持を解除することが出来る。この方法により、ディスクドライブのディスクトレイ上で最下端の光ディスクのみ保持解除することが出来、目的の光ディスクの搬送が実現される。
【００２１】
なお、本実施例では、ディスク保持爪の先端を鋭角にすることで、光ディスク間にディスク保持爪をいれてディスク保持を行ったが、これに限ることなく例えばディスク保持爪の先端を平坦とし、光ディスクの中心穴の内周面に平坦部を押し付けることで摩擦力を発生させて保持してもよい。また、それ以外の方法を用いて光ディスクを保持してもよい。
【００２２】
以上の実施例のように本発明によれば、トレイや仕切り板なく光ディスクが積層されたディスクマガジンでも任意の光ディスクを選択して搬送することが可能となる。また、トレイや仕切り板がないためディスクマガジン内の光ディスク間隔が最小となり、薄型のディスクマガジンが実現できる。
【符号の説明】
【００２３】
１・・・ケース１
２・・・ケース２
３、３ａ、３ｂ、３ｃ、３ｄ、３ｅ・・・光ディスク
４、４ａ、４ｂ、４ｃ、４ｄ・・・ディスク固定部材
５ａ、５ｂ・・・ディテント
６ａ、６ｂ・・・ディテント
７ａ、７ｂ・・・スリット
８・・・開口部
９、９ａ、９ｂ、９ｃ、９ｄ、９ｅ・・・中心穴
１０・・・支点
１１・・・ディスク固定バネ
１２・・・ディスクドライブ
１３・・・ディスク飛び出し抑制部材
１４・・・光ディスク装置
１５・・・シャフト
１６・・・搬送アーム
１７・・・ディスク保持部
１８・・・ディスク枚数検出部
１９、１９ａ、１９ｂ・・・第１ディスク保持爪
２０、２０ａ、２０ｂ・・・第２ディスク保持爪
２１・・・ラベルエリア
２２・・・ディスクマガジン
２３・・・ディスクトレイ
２４・・・ストッパ
２５・・・ディスク押圧部
２６・・・曲げ部
【図１】
2014010857.tif 000003
【図２】
2014010857.tif 000004
【図３】
2014010857.tif 000005
【図４】
2014010857.tif 000006
【図５】
2014010857.tif 000007
【図６】
2014010857.tif 000008
【図７】
2014010857.tif 000009
【図８】
2014010857.tif 000010
【図９】
2014010857.tif 000011
【図１０】
2014010857.tif 000012
【図１１】
2014010857.tif 000013
【図１２（ａ）】
2014010857.tif 000014
【図１２（ｂ）】
2014010857.tif 000015
【図１２（ｃ）】
2014010857.tif 000016
【図１２（ｄ）】
2014010857.tif 000017